(57)【要約】【課題】  複数の駆動手段と、前記複数の駆動手段がそれぞれ、１つ又は複数の搬送手段を駆動する画像形成装置において、被記録材の搬送中に、前記複数の駆動手段それぞれの回転数を変え、前記被記録材をたわませ、フェイスアップ排紙トレイを開くことで、熱定着器をクリーニングするための被記録材をフェイスアップトレイに排紙させること。【解決手段】  複数の駆動手段と、前記複数の駆動手段がそれぞれ、１つ又は複数の搬送手段を駆動する画像形成装置において、被記録材の搬送中に、前記複数の駆動手段それぞれの回転数を変え、前記被記録材をたわませ、フェイスアップ排紙トレイを開くことを特徴とした画像形成装置。【選択図】  図１
2006235187.tif 000002
【特許請求の範囲】
【請求項１】
複数の駆動手段と、前記複数の駆動手段がそれぞれ、１つ又は複数の搬送手段を駆動する画像形成装置において、被記録材の搬送中に、前記複数の駆動手段それぞれの回転数を変え、前記被記録材をたわませ、フェイスアップ排紙トレイを開くことを特徴とした画像形成装置。
【請求項２】
請求項１に記載の画像形成装置において、フェイスダウン排紙のための搬送手段の回転数を、その他の搬送手段の回転数よりも、遅くすることで、被記録材をたわませ、フェイスアップ排紙トレイを開くこと特徴とする画像形成装置。
【請求項３】
請求項１または請求項２に記載の画像形成装置において、熱定着手段のクリーニング開始時に、フェイスアップ排紙トレイがしまっていた場合、被記録材を搬送させ、前記フェイスアップ排紙トレイを開くことを特徴とする画像形成装置。
【請求項４】
請求項３に記載の画像形成装置において、被記録材をたわませ、フェイスアップ排紙トレイを開き、その後フェイスダウン排紙のための搬送手段を駆動する駆動手段を逆回転させ、前記フェイスダウン排紙のための搬送手段から被記録材を抜き、前記被記録材で熱定着手段のクリーニングを行うことを特徴とする画像形成装置。
【発明の詳細な説明】
【技術分野】
【０００１】
本発明は、電子写真・静電記録・磁気記録等の適宜の原理・方式の作像プロセス手段部で記録媒体上にトナー等の顕画材により目的の画像情報に対応した画像を間接方式あるいは直接方式で形成担持させ、その画像を記録媒体に永久固着像として熱定着することによって画像形成物を出力する、プリンタ・複写機・記録機・ファクシミリ等の画像形成装置に関する。
【背景技術】
【０００２】
従来、複写機、プリンタ、ファクシミリ等の画像形成装置においては、電子写真方式、静電記録方式、磁気記録方式等の適宜の作像プロセス機器により、転写材、感光紙、静電記録紙、印刷紙等の被記録材に、転写方式または直接方式で目的の画像情報に対応させて画像を形成し、担持させている。
【０００３】
そして、転写方式を採用する画像形成装置においては、被記録材に形成担持させた未定着トナー像を前記被記録材面に熱定着させるために、熱定着装置を用いており、前記熱定着装置には熱ローラ方式やフィルム加熱方式等の接触加熱方式の装置が広く用いられている。
【０００４】
熱定着手段をクリーニングする方法として、熱定着手段にて被記録材を加熱しながら、ステップ搬送する方法がある。この場合、被記録材をステップ搬送するため、駆動手段を一定の短い周期で、ON/OFFを繰り返す。
【０００５】
又、従来例としては、例えば特許文献１と特許文献２をあげることが出来る。
【特許文献１】特開平8-208095号公報
【特許文献２】特開2001-122498号公報
【発明の開示】
【発明が解決しようとする課題】
【０００６】
上記従来例では、機械的な負荷にかかわらず、一定の短い周期でON/OFFを繰り返しているので、画像形成装置の状態により、搬送距離がばらついてしまう。
さらに、フェイスアップ排紙と、フェイスダウン排紙を切り換えるトレイを備え、フェイスダウン排紙ローラと熱定着手段を、異なる駆動手段で駆動している画像形成装置においては、フェイスアップトレイが閉まっていた場合、フェイスダウン排紙ローラの搬送距離と、熱定着手段での搬送距離を一致させることが難しいので、正常にフェイスダウン排紙ができない場合があった。
【０００７】
そこで、本発明の目的は複数の駆動手段と、前記複数の駆動手段がそれぞれ、１つ又は複数の搬送手段を駆動する画像形成装置において、被記録材の搬送中に、前記複数の駆動手段それぞれの回転数を変え、前記被記録材をたわませ、フェイスアップ排紙トレイを開くことで、熱定着器をクリーニングするための被記録材をフェイスアップトレイに排紙させることである。
【課題を解決するための手段】
【０００８】
本出願に係る第１の発明によれば、上記目的は、被記録材の搬送中に、前記複数の駆動手段それぞれの回転数を変え、前記被記録材をたわませ、フェイスアップ排紙トレイを開くことにより達成される。
【０００９】
また、本願に係る第２の発明によれば、上記目的は、上記第１の発明において、フェイスダウン排紙のための搬送手段の回転数を、その他の搬送手段の回転数よりも、遅くすることで、被記録材をたわませ、フェイスアップ排紙トレイを開くことにより達成される。
【００１０】
また、本願に係る第３の発明によれば、上記目的は、上記第１または第２の発明において、熱定着手段のクリーニング開始時に、フェイスアップ排紙トレイがしまっていた場合、被記録材を搬送させ、前記フェイスアップ排紙トレイを開くことにより達成される。
【００１１】
また、本願に係る第４の発明によれば、上記目的は、上記第３の発明において、被記録材をたわませ、フェイスアップ排紙トレイを開き、その後フェイスダウン排紙のための搬送手段を駆動する駆動手段を逆回転させ、前記フェイスダウン排紙のための搬送手段から被記録材を抜き、前記被記録材で熱定着手段のクリーニングを行うことにより達成される。
【発明の効果】
【００１２】
以上説明したように、本出願に係る第１から第４の発明によれば、複数の駆動手段と、前記複数の駆動手段がそれぞれ、１つ又は複数の搬送手段を駆動する画像形成装置において、被記録材の搬送中に、前記複数の駆動手段それぞれの回転数を変え、前記被記録材をたわませ、フェイスアップ排紙トレイを開くことで、熱定着器をクリーニングするための被記録材をフェイスアップトレイに排紙させることができる。
【発明を実施するための最良の形態】
【００１３】
以下の実施例1から実施例2までは前記課題を解決したものである。
【実施例１】
【００１４】
図１は本実施例の画像形成装置の概略構成図である。図１において、104は有機感光体やアモルファスシリコン感光体でできた感光ドラムであり、時計方向に所定の周速度（プロセススピード）をもって回転駆動される。この回転感光体ドラム104帯電ローラ105によりその周面が所定の極性、電位に一様に帯電される。そして、その帯電面に、レーザー光学箱108から出力され、画像読取装置やコンピュータ等の画像信号発生装置（図示せず）から入力された目的の画像情報の時系列電気デジタル画素信号に対応して変調（オン／オフ変換）されたレーザー光が、レーザー光反射ミラー109によって変更されて照射されることにより、走査露光が行われ、画像情報に対応した静電潜像が形成される。
【００１５】
このように目的の画像に対応して形成された静電潜像は、現像器106により現像される。
【００１６】
次に、この感光ドラム104に対して、給紙カセット103から被記録材が給紙ローラ102により１枚給紙されることにより、前記被記録材に対して感光ドラム104側の鏡像トナー像が形成される。この転写ローラ107は被記録材の背面からトナーと逆極性の電荷を供給することで、感光ドラム104から被記録材にトナー像を転写するものである。このようにトナー像の転写を受けた被記録材は、感光ドラム104から分離されて熱定着装置110へ送り込まれ、ヒーター111によってトナー像の熱定着を受ける。
【００１７】
熱定着を受けた被記録材は、DCブラシレスモータにより駆動されるFUローラ112と、ステッピングモータで駆動されるFDローラ113により搬送され排紙トレイ114に排出される。
【００１８】
なお、前記ステッピングモータは、FDローラ113を駆動し、前記DCブラシレスモータは主にFDローラ113以外の紙搬送手段を駆動する。
【００１９】
図２は本実施例の制御系のブロック線図である。
【００２０】
熱定着器110のクリーニングを指示されると、画像形成装置を制御しているCPU203がセンサS5の情報をもとに、FUトレイ115の状態を判断する。
【００２１】
FUトレイ115が開いている場合は、被記録材を搬送し、熱定着器110のクリーニングを行う。FUトレイ115が閉じている場合は、被記録材をFDローラ113に到達するまで搬送する。被記録材がFDローラ113に到達したら、ステッピングモータ205の回転数遅くすることで、FUローラ112とFDローラ113の間で被記録材をたるませ、FUトレイ115を開かせる。CPU203はセンサS5により、FUトレイが開いたことを検知すると、ステッピングモータの回転数を定常回転に戻し、被記録材を排紙トレイ114へ排紙し、再度被記録材を搬送し、熱定着器110のクリーニングを行う。
【００２２】
図３は本実施例の制御を示すフローチャートである。
【００２３】
まず、熱定着器110のクリーニングが指示されると、ステップS1にて、FUトレイ115が開いているか確認する。もし開いていれば、ステップS8へ進む。
【００２４】
ステップS1でFUトレイ115が閉じている場合、ステップS2へ進み、給紙カセット103より被記録材の搬送を開始し、ステップS3へ進む。
【００２５】
ステップS3にて、被記録材がFDローラ113に到達したか監視し、FDローラ113に到達すれば、ステップS4へ進みステッピングモータ205を減速させ、被記録材をたわませはじめる。
【００２６】
ステップS5では、被記録材のたわみにより、FUトレイ115が開いたかどうか監視し、FUトレイ115が開と、ステップS6へ進み、ステッピングモータ205を定常回転へ戻す。
【００２７】
ステップS7では、FUトレイ115を開くためにたわませた被記録材が排紙トレイ114に排紙されたかどうか監視し、排紙されれば、ステップS8へ進み、熱定着器110のクリーニングのため、給紙カセット103より被記録材の搬送を開始する。
【００２８】
ステップS8で搬送を開始された被記録材が、熱定着器110に到達すると、ステップS10へ進み、熱定着器110のクリーニングを行う。
【００２９】
ここで、FUトレイ115は開いているので、ステップS8で搬送を開始された被記録材はFUトレイ115へ排紙される。
【００３０】
以上のような制御により、複数の駆動手段と、前記複数の駆動手段がそれぞれ、１つ又は複数の搬送手段を駆動する画像形成装置において、被記録材の搬送中に、前記複数の駆動手段それぞれの回転数を変え、前記被記録材をたわませ、フェイスアップ排紙トレイを開くことで、熱定着器をクリーニングするための被記録材をフェイスアップトレイに排紙させることができる。
【実施例２】
【００３１】
実施例１では、FUトレイ115を開くための被記録材と、熱定着器110をクリーニングするための被記録材が別々であった。
【００３２】
本実施例では、FUローラ112とFDローラ113の間で被記録材をたわませ、FUトレイ115を開いた後、ステッピングモータ205を逆回転させ、FDローラ113のニップから被記録材を抜くことで、被記録材をFUトレイ115へ排紙する。また、FUトレイ115が開いたことを検知したタイミングで、FUトレイ115を開かせた紙にて、熱定着器110のクリーニングを行うことで、FUトレイ115のオープンと、熱定着器110のクリーニングを同一の被記録材で行う。
【００３３】
図４に本実施例のフローチャートを示す。
【００３４】
まず、熱定着器のクリーニングが指示されると、ステップS21にて、給紙カセット103より被記録材の搬送を開始し、ステップS2へ進む。
【００３５】
ステップS22では、FUトレイ115が開いているかどうか判断し、開いていれば、ステップS23へ進む。ステップS23にて、熱定着器に被記録材が到達したと判断されると、ステップS28へ進み、熱定着器のクリーニングを行う。
【００３６】
ステップS22でFUトレイが開いていないと判断されたら、ステップS23へ進む。
【００３７】
ステップS23では、被記録材がFDローラ113に到達したか監視し、FDローラ113に到達すれば、ステップS25へ進みステッピングモータ205を減速させ、被記録材をたわませはじめる。
【００３８】
ステップS26では、被記録材のたわみにより、FUトレイ115が開いたかどうか監視し、FUトレイ115が開と、ステップS27へ進む。
【００３９】
ステップS27では、ステッピングモータ205を逆回転させ、ステップS28へ進む。
ここで、被記録材は熱定着器110のニップにあるので、ステップ28にて熱定着器110のクリーニングを開始する。ここで、被記録材がFDローラ113のニップから抜けているため、被記録材はFUトレイ115へ排紙される。
【００４０】
以上のような制御により、複数の駆動手段と、前記複数の駆動手段がそれぞれ、１つ又は複数の搬送手段を駆動する画像形成装置において、被記録材の搬送中に、前記複数の駆動手段それぞれの回転数を変え、前記被記録材をたわませ、フェイスアップ排紙トレイを開くことで、熱定着器をクリーニングするための被記録材をフェイスアップトレイに排紙させることができる。
【図面の簡単な説明】
【００４１】
【図１】本発明の画像形成装置の一例を示す断面図。
【図２】本発明の制御系ブロック線図。
【図３】本発明のフローチャート図。
【図４】本発明のフローチャート図。
【符号の説明】
【００４２】
101  画像形成装置
102  給紙ローラ
103  給紙カセット
104  感光ドラム
105  帯電ローラ
106  現像器
107  転写ローラ
108  レーザー光学箱
109  レーザー光反射ミラー
110  熱定着器
111  ヒーター
112  FUローラ
113  FDローラ
114  排紙トレイ
115  FUトレイ
【図１】
2006235187.tif 000003
【図２】
2006235187.tif 000004
【図３】
2006235187.tif 000005
【図４】
2006235187.tif 000006